(57)【要約】【課題】連続的に回転可能な図柄表示体による演出を可能とすると共に、可動部材による演出をも可能とする。【解決手段】図柄表示体２０,２１ａ,２２ａ,２２ｂを電気的に接続する電気部品１７を備えると共に図柄表示体２２ａ,２２ｂが配設された本体部材３４と、本体部材３４に対して回転可能に配設され、図柄表示体２０,２１ａが設置された台座部材３９と、相対的に回転可能な第１接触部および第２接触部を備え、該第１接触部が本体部材３４に設けられて電気部品１７に電気的に接続されると共に、第２接触部が台座部材３９に対して一体的に回転可能に設けられて該台座部材３９に設置された図柄表示体２０,２１ａに電気的に接続された回転コネクタ７０と、本体部材３４に配設された図柄表示体２２ａ,２２ｂを遮蔽する遮蔽位置および遮蔽した図柄表示体２２ａ,２２ｂを露出する開放位置の間を変位可能な遮蔽部材５４とを、装飾部材３０に設けた。【選択図】図５
2008246128.tif 000002
【特許請求の範囲】
【請求項１】
遊技球が流下可能な遊技領域を有する遊技盤と、前記遊技盤に設置される装飾部材と、前記装飾部材に配設されて複数種類の図柄を変動表示し得ると共に、該複数種類の図柄から任意の図柄を１つだけ停止表示可能な複数の図柄表示体と、前記遊技盤に配設されて前記遊技領域を流下する遊技球が入賞可能で、入賞により前記複数の図柄表示体での図柄の変動を開始させる始動入賞装置と、前記遊技盤に配設されて特別入賞口を開閉可能で、前記複数の図柄表示体での図柄の停止結果に応じて該特別入賞口を開放し、開放により前記遊技領域を流下する遊技球が特別入賞口に入賞可能な特別入賞装置とを備えた遊技機において、
前記装飾部材は、
前記遊技盤に固定され、前記複数の図柄表示体を電気的に接続する電気部品を備えると共に該図柄表示体を少なくとも１つ配設された本体部材と、
前記本体部材に対して回転し得るよう該本体部材の前側に配設され、少なくとも１つの前記図柄表示体が設置される台座部材と、
電気的に接続した状態で相対的に回転可能な第１接触部および第２接触部を備え、該第１接触部が前記本体部材に設けられて前記電気部品に電気的に接続されると共に、第２接触部が前記台座部材に対して一体的に回転可能に設けられて該台座部材に設置された図柄表示体に電気的に接続された回転コネクタと、
前記本体部材の前側に配設され、前記本体部材に配設された図柄表示体を遮蔽する遮蔽位置および遮蔽した図柄表示体を露出する開放位置の間を変位可能な遮蔽部材とを備える
ことを特徴とする遊技機。
【請求項２】
前記台座部材に配設される図柄表示体は、前記回転コネクタの軸線上に配設された中心表示体と、該中心表示体を中心とする放射方向に配設される複数の周辺表示体とからなる請求項１記載の遊技機。
【発明の詳細な説明】
【技術分野】
【０００１】
本発明は、遊技機に関し、更に詳細には、遊技盤に設けた図柄表示体により形成した図柄表示ラインで図柄を変動することで所定の遊技を行なうよう構成された遊技機に関するものである。
【背景技術】
【０００２】
パチンコ機やアレンジボール機等の遊技機では、機内にセットされる遊技盤の盤面に画成した遊技領域の略中央位置に枠状の装飾部材(所謂センター役物)が配設されており、この装飾部材の内側に複数の図柄を変動表示して図柄変動ゲームを行なう図柄表示装置を設けると共に、該遊技盤における装飾部材の下方位置に、パチンコ球(遊技球)の入賞が図柄表示装置での変動開始条件となる始動入賞装置を配設するよう構成したものが多数提案されている。すなわち、この種の遊技機では、前記遊技領域に打ち出されたパチンコ球が前記始動入賞装置に入賞することにより、前記図柄表示装置で図柄変動ゲームに伴うリーチ演出等の各種の遊技演出がなされ、該図柄表示装置に設定された所定の図柄ライン上に所定の組合わせの図柄が停止することで、遊技者に有利な所謂大当りが発生するようになっている。
【０００３】
また、近年では、前記図柄表示装置で図柄変動ゲームを行なうだけでなく、図柄表示装置とは別に設けた表示部を回転等させて、遊技の興趣を向上するようにしたパチンコ機も提案されている(例えば、特許文献１参照)。この特許文献１に記載のパチンコ機では、
前記装飾部材を構成する枠部材の開口部(特許文献１における第３開口部)の内側に、一対の７セグメント表示部を設けた回転装飾部材を配設し、該回転装飾部材を枠部材に対して回転することで、７セグメント表示部が回転するよう構成されている。なお、図柄表示装置(ＬＣＤ)は、前記回転装飾部材を取り付ける取付カバー部材に固定的に配設されて、該回転装飾部材に開設した開口部(特許文献１における第４開口部)を介して遊技盤の前側に臨むよう構成される。
【特許文献１】特開２００６−１９８１７７号公報
【発明の開示】
【発明が解決しようとする課題】
【０００４】
ここで、前記特許文献１に記載されたパチンコ機では、制御装置に接続する中継基板を前記枠部材に設けて、この中継基板に対して、フレキシブル基板を介して前記７セグメント表示部の表示回路基板を電気的に接続するよう構成される。このため、前記回転装飾部材(７セグメント表示部)が枠部材に対して回転可能な範囲は、フレキシブル基板の長さにより制限されてしまい、該７セグメント表示部の回転による演出効果は限定的なものとなる問題を内在している。なお、前記制御装置に接続する配線を長くすることで図柄表示装置の回転可能な範囲を大きくし得るものの、この場合であっても７セグメント表示部の回転可能な範囲には限界があり、また配線を長くすることで配線の取扱いが不便になる欠点も指摘される。また、前記フレキシブル基板は、所定の収容空間内で略Ｕ字状に折返すよう収容されて、回転装飾部材の回転に伴って収容空間内をフレキシブル基板の折返し部位が移動することで、フレキシブル基板の収容空間からの引出しや収容空間への収容をスムーズになし得るよう構成されている。このため、前記フレキシブル基板の折返し部位が収容空間から抜け出ないよう回転装飾部材を回転させる必要があり、この点からも回転装飾部材の回転範囲が制限されてしまっている。
【０００５】
また、近年では、遊技演出の多様化や演出効果の向上を目的として、立体的に可動する可動部材を装飾部材に配設した遊技機が多数提案されている。しかしながら、特許文献１では、図柄表示装置の外周囲を装飾する回転装飾部材自体が回転するため、該回転装飾部材に対して発光体を配設して演出効果の向上を図ることは可能であるものの、駆動源を必要とする可動部材を配設することは困難であり、７セグメント表示部の回転による演出効果向上は期待し得るものの、更なる遊技演出の多様化や演出効果の向上を図るには限界があった。
【０００６】
そこで、本発明は、連続的に回転可能な図柄表示体による演出を可能とすると共に、可動部材による演出をも可能とした遊技機を提供することを目的とする。
【課題を解決するための手段】
【０００７】
前記課題を克服し、所期の目的を好適に達成するため、請求項１に係る遊技機は、
遊技球が流下可能な遊技領域(10b)を有する遊技盤(10)と、前記遊技盤(10)に設置される装飾部材(30)と、前記装飾部材(30)に配設されて複数種類の図柄を変動表示し得ると共に、該複数種類の図柄から任意の図柄を１つだけ停止表示可能な複数の図柄表示体(20,21a,21b,22a,22b)と、前記遊技盤(10)に配設されて前記遊技領域(10b)を流下する遊技球が入賞可能で、入賞により前記複数の図柄表示体(20,21a,21b,22a,22b)での図柄の変動を開始させる始動入賞装置(11)と、前記遊技盤(10)に配設されて特別入賞口を開閉可能で、前記複数の図柄表示体(20,21a,21b,22a,22b)での図柄の停止結果に応じて該特別入賞口を開放し、開放により前記遊技領域(10b)を流下する遊技球が特別入賞口に入賞可能な特別入賞装置(12)とを備えた遊技機において、
前記装飾部材(30)は、
前記遊技盤(10)に固定され、前記複数の図柄表示体(20,21a,21b,22a,22b)を電気的に接続する電気部品(17)を備えると共に該図柄表示体(20,21a,21b,22a,22b)を少なくとも１つ配設された本体部材(34)と、
前記本体部材(34)に対して回転し得るよう該本体部材(34)の前側に配設され、少なくとも１つの前記図柄表示体(20,21a)が設置される台座部材(39)と、
電気的に接続した状態で相対的に回転可能な第１接触部(71)および第２接触部(72)を備え、該第１接触部(71)が前記本体部材(34)に設けられて前記電気部品(17)に電気的に接続されると共に、第２接触部(72)が前記台座部材(39)に対して一体的に回転可能に設けられて該台座部材(39)に設置された図柄表示体(20,21a)に電気的に接続された回転コネクタ(70)と、
前記本体部材(34)の前側に配設され、前記本体部材(34)に配設された図柄表示体(22a,22b)を遮蔽する遮蔽位置および遮蔽した図柄表示体(22a,22b)を露出する開放位置の間を変位可能な遮蔽部材(54)とを備えることを要旨とする。
【０００８】
このように、図柄表示体を配設した台座部材を、回転コネクタを介して本体部材に連結するよう構成したことで、図柄表示体を一定方向に連続して回転した際に、配線に捻れが生ずるのを防止し得る。本体部材に対しても図柄表示体を配設したことで、該本体部材に固定的に配設した図柄表示体と、前記台座部材と一体的に回転する図柄表示体とにより、異なる演出が可能となり、遊技演出の多様化が図られる。更に、前記本体部材に配設した遮蔽部材を、図柄表示体を遮蔽する遮蔽位置と、遮蔽した図柄表示体を露出する開放位置との間を変位し得るよう構成したことで、図柄表示体による図柄変動ゲームに、該遮蔽部材による可動演出と、台座部材の回転による図柄表示体の回転演出とを組み合わせた多様な演出が可能となる。
【０００９】
請求項２に係る発明は、前記台座部材(39)に配設される図柄表示体(20,21a)は、前記回転コネクタ(70)の軸線上に配設された中心表示体(20)と、該中心表示体(20)を中心とする放射方向に配設される複数の周辺表示体(21a)とからなることを要旨とする。
【００１０】
このように、前記回転コネクタの軸線上に配置した図柄表示体に較べて、該中心の図柄表示体の周囲に配置した図柄表示体の回転速度は高速になる。このため、１つの台座部材を回転するだけで、中心に位置する図柄表示体と、その他の図柄表示体とで異なった印象を遊技者に与えることができ、遊技の興趣の向上に寄与し得る。また、中心の図柄表示体の回転速度が比較的に緩やかになることで、台座部材に回転時にも遊技者の視線を惹き付けることができる。
【発明の効果】
【００１１】
すなわち、本発明によれば、連続的に回転可能な図柄表示体により演出を行ない得ると共に、可動部材による演出も行ない得る。
【発明を実施するための最良の形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機の遊技盤１０を正面側(遊技者側)から見た状態で指称するものとする。
【実施例】
【００１３】
(遊技盤について)
図１に示すように、実施例に係るパチンコ機の遊技盤１０には、略円形状に湾曲形成したレール１０ａにより囲まれた遊技領域１０ｂの略中央に、複数(実施例では１７個)の図柄表示体２０,２１ａ,２１ｂ,２２ａ,２２ｂを配設した装飾部材３０が設けられている。ここで、前記装飾部材３０に配設される複数の図柄表示体２０,２１ａ,２１ｂ,２２ａ,２２ｂは、複数種類の図柄(例えば「０」〜「９」の数字やアルファベット文字)を変動表示可能で、該複数種類の図柄から任意の１つの図柄を停止表示可能な７セグメントＬＥＤやドットマトリクスＬＥＤ等が採用される。また、前記遊技盤１０には、前記遊技領域１０ｂにおける前記装飾部材３０の下方位置に、遊技領域１０ｂを流下するパチンコ球が入賞可能な始動入賞装置１１が配設されると共に、該装飾部材３０の上方位置に、前記複数の図柄表示体２０,２１ａ,２１ｂ,２２ａ,２２ｂにより形成される図柄ライン(後述)での図柄の停止結果に応じて遊技領域１０ｂを流下する遊技球の入賞を許容する特別入賞装置１２が設けられている。なお、前記遊技盤１０には、その他照明装置１３等の遊技部品が配設されると共に、前記始動入賞装置１１や特別入賞装置１２等の入賞装置に入賞しなかったパチンコ球を排出するアウト口１４が設けられている。
【００１４】
また、パチンコ機には、図７に示すように、パチンコ機全体を制御する主制御装置１５や、該主制御装置１５に接続される統括制御装置１６、前記図柄表示体２０,２１ａ,２１ｂ,２２ａ,２２ｂでの図柄の変動停止制御や後述する回転体４２(図５参照)の回転制御、更には後述する一対の開閉扉(遮蔽部材)５４,５４の駆動制御を行なう演出制御装置１７、前記照明装置１３の発光を制御するランプ制御装置１８、その他各種制御装置(図示せず)を設けてある。なお、主制御装置１５および統括制御装置１６に関しては、図７のみに図示してある。また、実施例では、図７に示すように、前記演出制御装置１７は、前記統括制御装置１６に接続されて、前記主制御装置１５からの制御信号を統括制御装置１６で一旦処理した後に、演出制御装置１７やランプ制御装置１８に制御信号を送信するようになっている。なお、前記始動入賞装置１１には、その内部に入賞検知スイッチ１１ａが設けられており、遊技盤１０の遊技領域１０ｂを流下するパチンコ球が始動入賞装置１１に入賞して入賞検知スイッチ１１ａが入賞検知した際に、入賞検知信号を前記主制御装置１５に送信するようになっている。すなわち、前記入賞検知スイッチ１１ａの入賞検知が、各種演出制御を前記主制御装置１５が開始する契機となる。
【００１５】
(装飾部材について)
前記装飾部材３０は、前記遊技盤１０に開設した取付孔(図示せず)に略整合する枠状に形成され、該遊技盤１０の前面に取り付けられる枠状部材３２と、該枠状本体部の後方に固定されて遊技盤１０の取付孔を覆蓋し、前記複数の図柄表示体２０,２１ａ,２１ｂ,２２ａ,２２ｂが配設される本体部材３４と、当該本体部材３４に配設され、複数の図柄表示体２０,２１ａ,２１ｂ,２２ａ,２２ｂの一部を遮蔽する開閉扉５４,５４を備えた可動体ユニット５０とを備えている。
【００１６】
ここで、前記複数の図柄表示体２０,２１ａ,２１ｂ,２２ａ,２２ｂは、前記装飾部材３０の略中央に配置される１つの表示体２０(以下、中心表示体という)と、該中心表示体２０を中心とした放射方向に２つずつ配置される１６個の表示体２１ａ,２１ｂ,２２ａ,２２ｂ(以下、周辺表示体という)とからなり、中心表示体２０から放射方向に隣接する２つずつの周辺表示体２１ａ,２１ｂ,２２ａ,２２ｂにより表示体列２４,２６を構成している。すなわち、実施例では、図４に示すように、前記周辺表示体２１ａ,２１ｂ,２２ａ,２２ｂは、前記中心表示体２０を中心として周方向に離間する８本の表示体列２４,２６を形成している。なお、以下の説明では、前記中心表示体２０から斜め方向に配列された表示体列を第１表示体列２４と指称し、該第１表示体列２４において中心表示体２０に隣接する周辺表示体に符号２１ａを付すると共に、中心表示体２０から離間する周辺表示体に符号２１ｂを付するものとする。同様に、前記中心表示体２０から上下方向または左右方向に配列された表示体列を第２表示体列２６と指称し、該第２表示体列２６において中心表示体２０に隣接する周辺表示体に符号２２ａを付すると共に、中心表示体２０から離間する周辺表示体に符号２２ｂを付するものとする。また、前記中心表示体２０および各周辺表示体２１ａ,２１ｂ,２２ａ,２２ｂは、同一の形状・大きさで形成されている。
【００１７】
そして、同一直線上に隣接する前記中心表示体２０と２つの周辺表示体２１ａ,２１ｂ,２２ａ,２２ｂとの組合わせにより前記図柄ラインを構成するよう設定されている。具体的には、前記図柄ラインとしては、中心表示体２０および第１表示体列２４を構成する２つの周辺表示体２１ａ,２１ｂにより構成される４つの図柄ラインと、中心表示体２０および第２表示体列２４を構成する２つの周辺表示体２２ａ,２２ｂにより構成される４つの図柄ラインとが設定され、合計８つの図柄ラインの何れかに特定の組合わせの図柄が停止した場合(例えば、同一図柄が停止した場合)に、前記特別入賞装置１２へのパチンコ球の入賞が許容されるように構成されている。また、前記演出制御装置１７は、前記各表示体列２４,２６を構成する周辺表示体２１ａ,２１ｂ,２２ａ,２２ｂで変動表示する図柄を全て停止させた後に、前記中心表示体２０で変動表示する図柄を停止させるよう図柄変動を制御している。
【００１８】
図２、図３、図５または図６に示すように、前記本体部材３４は、前記遊技盤１０の取付孔に略整合する大きさに形成されて前記枠状部材３２に固定されるベース部３６と、該ベース部３６の略中央位置に形成されて前方へ突出し、前後に開口する筒状部３８と、該筒状部３８に回転可能に挿通され、前記周辺表示体２１ａが設けられた回転体４２とを備えており、前記装飾部材３０を遊技盤１０に組み付けた際に、遊技盤１０の取付孔が本体部材３４(ベース部３６)で閉成されるよう構成されている。前記ベース部３６には、前記筒状部３８の上方、下方、左方、右方に離間する位置に、前記可動体ユニット５０を設置する設置凹部３７,３７,３７,３７(図５に筒状部３８の上下に位置する設置凹部３７,３７のみ示す)が夫々形成されると共に、隣り合う設置凹部３７の間に前記第１表示体列２４を構成する周辺表示体２１ｂが夫々１つずつ配設されている。
【００１９】
また、前記ベース部３６の裏側には、図５に示すように、前記各設置凹部３７に設置した可動体ユニット５０の裏側を覆蓋保護する透明樹脂製の保護カバー４３が取り付けられている。この保護カバー４３の背面には、中継基板４４が着脱可能に設置されており、該中継基板４４に、前記各図柄表示体２０,２１ａ,２１ｂ,２２ａ,２２ｂおよび可動体ユニット５０の作動手段５６、回転体４２を回転駆動するモータ６８、後述する発光手段４６,４７,４８が夫々配線接続されている。また、前記保護カバー４３における中継基板４４の後方には、前記演出制御装置１７が着脱可能に設置されており、該演出制御装置１７を中継基板４４に対して配線接続することで、演出制御装置１７に対して各図柄表示体２０,２１ａ,２１ｂ,２２ａ,２２ｂ、可動体ユニット５０の作動手段５６および回転体４２を回転駆動するモータ６８が電気的に接続される。ここで、前記回転体４２に配設される周辺表示体２１ａは、回転コネクタ７０(後述)を介して前記演出制御装置１７に対して中継基板４４に電気的に接続される
【００２０】
図５に示すように、前記回転体４２は、前記筒状部３８に挿通される軸部４２ａと、該軸部４２ａの前端部に配設され、前記ベース部３６から前方へ一定間隔離間する台座部材３９とを備えている。前記軸部４２ａは、前記筒状部３８に対してベアリング６９,６９を介して回転可能に支持されると共に、該軸部４２ａの後端部に、前記モータ６８に取り付けられた駆動歯車６８ａに噛合する従動歯車４２ｂが設けられており、モータ６８の回転方向に応じて回転体４２が正逆方向に回転して、台座部材３９に配設された前記中心表示体２０および周辺表示体２１ａが、前記ベース部３６(本体部材３０)に対して回転するようになっている。また、前記軸部４２ａには、前記ベース部３６の裏側に対応する位置に、径方向に突出するフランジ４２ｃが形成されており、該フランジ４２ｃにより軸部４２ａの前方移動を規制している。また、図８に示すように、前記軸部４２ａの周面には、周方向に延在する環状凹部４２ｄが前記回転コネクタ７０の取付位置に対応して設けられている。
【００２１】
前記台座部材３９は、前記軸部４２ａの前端部に設けられ、該軸部４２ａの軸線上に位置する設置部４０と、該設置部４０の外周に設けられて周方向に離間する４つの保持枠４１,４１,４１,４１とを備え、設置部４０に中心表示体２０が配設されると共に、各保持枠４１に第１表示体列２４を構成する周辺表示体２１ａが１つずつ配設されている。ここで、前記保持枠４１に配設した周辺表示体２１ａが正面を向く姿勢において、前記設置部４０の左上方、右上方、左下方、右下方に保持枠４１が夫々設けられており、該設置部４０に配設した中心表示体２０と、前記ベース部３６に配設した各周辺表示体２１ｂとを結ぶ直線上に位置するよう設けられる。また、前記各保持枠４１は、前記ベース部３６より前方で、かつ前記設置部４０より後方に退避した位置に形成される(図５参照)。すなわち、前記保持枠４１の周辺表示体２１ａは、前記ベース部３６の周辺表示体２１ｂより前方に配置されると共に、前記設置部４０の中心表示体２０は、該保持枠４１の周辺表示体２１ａより前方に配置されている。
【００２２】
前記回転コネクタ７０は、図８に示すように、前記演出制御装置１７に配線接続される第１接触部７１と、前記台座部材３９に配設した中心表示体２０および周辺表示体２１ａが配線接続される第２接触部７２とを備え、該第１接触部７１と第２接触部７２とを電気的に接続するよう構成される。ここで、前記第１接触部７１は、前記軸部４２ａを挿通可能な環状部材７４の内周面に前記筒状部３８の軸方向(前後方向)に離間して設けられた可撓性を有するブラシであり、該環状部材７４を、前記筒状部３８の内側に取り付けるよう構成されている。また、前記第２接触部７２は、前記回転体４２の軸部４２ａに形成した前記環状凹部４２ｄに沿って設けられた環状の金属板部材であって、軸部４２ａを環状部材７４に挿通した状態で、該第２接触部７２に対して第１接触部７１が弾性的に接触するようになっている。
【００２３】
すなわち、前記回転体４２の回転時に、前記第１接触部７１が第２接触部７２上を摺接することで、前記台座部材３９の中心表示体２０および周辺表示体２１ａと、前記演出制御装置１７との接点が維持される。このように、実施例に係る回転コネクタ７０では、前記環状部材７４が前記第１接触部７１を形成する固定側部材として機能し、前記回転体４２(軸部４２ａ)が前記第２接触部７２を形成する回転側部材として機能する。なお、実施例の回転コネクタ７０には、第１接触部７１および第２接触部７２が対応的に１３対設けられており、これら第１および第２接触部７１,７２の接触により、前記台座部材３９の中心表示体２０および４つの周辺表示体２１ａに対して電源を供給すると共に、各表示体２０,２１ａに対して個別に制御信号を送信して図柄を変動・停止し得るようになっている。
【００２４】
(可動体ユニットについて)
前記可動体ユニット５０は、前記本体部材３４に形成した設置凹部３７に取り付けられ、前記第２表示体列２６を構成する２つの周辺表示体２２ａ,２２ｂを収容した透明樹脂製の収容体５２と、該収容体５２に収容した周辺表示体２２ａ,２２ｂを遮蔽する遮蔽位置(図９または図１３(a)参照)と露出する開放位置(図１１または図１３(b)参照)の間を変位可能な開閉扉５４,５４と、該開閉扉５４,５４を作動する作動手段５６と、作動手段５６を開閉扉５４,５４に連繋接続する駆動伝達手段６１,６１とを備え、作動手段５６の作動により開閉扉５４,５４が遮蔽位置と開放位置との間を移動するよう構成される。すなわち、前記開閉扉５４,５４が遮蔽位置に変位した状態では、前記第２表示体列２６を構成する周辺表示体２２ａ,２２ｂが遮蔽されて、中心表示体２０および第１表示体列２４を構成する周辺表示体２１ａ,２１ｂから形成された４つの図柄ラインを視認可能で(図３参照)、開閉扉５４,５４が開放位置に変位した状態では、中心表示体２０および第１表示体列２４を構成する周辺表示体２１ａ,２１ｂから形成される図柄ラインと、中心表示体２０および第２表示体列２６を構成する周辺表示体２２ａ,２２ｂから形成される図柄ラインとの、８つの図柄ラインを視認可能である(図１参照)。
【００２５】
前記筒状部３８の上下方向に配設される可動体ユニット５０では、図１１に示すように、前記収容体５２は縦長の略矩形箱状に形成されており、前記設置凹部３７に設置した際に、前記中心表示体２０を通る直線上に２つの周辺表示体２２ａ,２２ｂが位置するよう上下に離間して配置されている。一方、前記筒状部３８の左右方向に配設される可動体ユニット５０では、前記収容体５２は横長の略矩形箱状に形成されて、前記設置凹部３７に設置した際に、前記中心表示体２０を通る直線上に２つの周辺表示体２２ａ,２２ｂが位置するよう左右に離間して配置される。すなわち、各可動体ユニット５０を対応する設置凹部３７に設置することで、４つの第２表示体列２６が前記中心表示体２０を中心とする放射方向に形成されるようになっている。従って、前記各可動体ユニット５０を対応する設置凹部３７に設置した状態では、前記保持枠４１およびベース部３６に設けられた周辺表示体２１ａ,２１ｂにより構成される前記第１表示体列２４と、可動体ユニット５０に設けられた周辺表示体２２ａ,２２ｂにより構成される前記第２表示体列２６とが、前記中心表示体２０を中心とする周方向に交互に位置して隣り合うよう形成されている。
【００２６】
また、前記収容体５２を前記設置凹部３７に設置した状態では、前記ベース部３６に配設した周辺表示体２１ｂより収容体５２の周辺表示体２２ａ,２２ｂが前方に位置すると共に、前記保持枠４１に配設した周辺表示体２１ａより収容体５２に収容した周辺表示体２２ａ,２２ｂが後方に位置するよう構成される。すなわち、隣り合う第１表示体列２４および第２表示体列２６では、各表示体列２４,２６において中心表示体２０に隣接する周辺表示体２１ａ,２２ａが前方と後方とに離間するよう互違い(段違い)に配置されている。
【００２７】
なお、各可動体ユニット５０は、略同一構成のユニットを、前記中心表示体２０を中心として９０度ずつ回転した姿勢で各設置凹部３７に設置される。従って、以下の説明においては、原則として筒状部３８の上部に配置される可動体ユニット５０を基準として説明する。なお、各可動体ユニット５０を対応の設置凹部３７に設置した際に、前記周辺表示体２２ａ,２２ｂが同一の向き・姿勢となるよう前記収容体５２に配設されて、各可動体ユニット５０の周辺表示体２２ａ,２２ｂに表示される図柄を遊技者側から正確に視認し得るよう構成される。
【００２８】
前記開閉扉５４,５４は、図９〜図１２に示すように、前記第２表示体列２６の配列方向(収容体５２の長手方向)に延在すると共に、該配列方向に交差(直交)する方向に並設されて、該一対の開閉扉５４,５４により第２表示体列２６の前側全体を覆蓋し得る大きさに形成されている。そして、前記遮蔽位置では、前記一対の開閉扉５４,５４が相互に近接して収容体５２に収容された周辺表示体２２ａ,２２ｂを遮蔽し(図２、図３、図９、図、図１０または図１３(a)参照)、前記解放位置では、該一対の開閉扉５４,５４が相互に離間して遮蔽した周辺表示体２２ａ,２２ｂを露出するよう構成される(図１、図３、図６、図１１、図１２または図１３(b)参照)。また、前記一対の開閉扉５４,５４の一方には、後端部に他方の開閉扉５４,５４側へ突出する突出片５５(図１３参照)が形成されており、前記遮蔽位置での両開閉扉５４,５４の間の隙間を該突出片５５で塞ぐようになっている(図１３参照)。
【００２９】
ここで、前記遮蔽位置にある一対の開閉扉５４,５４は、前記筒状部３８側の端部が前記保持枠４１の周辺表示体２１ａ(前方に配置された周辺表示体２１ａ)と可動体ユニット５０の周辺表示体２２ａ(後方に配置された周辺表示体２２ａ)との間に位置するよう配置されると共に、該筒状部３８側から離間するにつれて前方へ湾曲する立体形状に形成されている。また、前記開放位置では、前記保持枠４１の周辺表示体２１ａの後側で、かつ隣り合う第１表示体列２４と第２表示体列２６との間に前記一対の開閉扉５４,５４が退避するよう構成される。すなわち、前記一対の開閉扉５４,５４が遮蔽位置へ変位した状態においては、第２表示体列２６を構成する周辺表示体２２ａ,２２ｂのみを遮蔽し、一対の開閉扉５４,５４を開放位置へ変位した状態においては、一対の開閉扉５４,５４が全ての図柄表示体２０,２１ａ,２１ｂ,２２ａ,２２ｂの表示を遮らないようになっている。
【００３０】
図１０、図１２または図１３(a),(b)に示すように、前記収容体５２の裏側には、該収容体５２の左右両側に後方へ突出する固定部５２ａが形成されており、各固定部５２ａに上下方向に延在するよう設けられた一対の支軸５２ｂ,５２ｂ(図１０、図１２参照)に、前記駆動伝達手段としての一対の揺動部材６１,６１が対応的に枢支されている。前記各揺動部材６１は、対応する支軸５２ｂに枢支される軸受け部６２と、該軸受け部６２から収容体５２の前方へ延出する第１アーム部６３と、軸受け部６２から対向する揺動部材６１へ向けて延出し、端面を円弧状に形成した第２アーム部６４と、該第２アーム部６４の周面に形成されるギア部６５とを備え、該一対の揺動部材６１,６１のギア部６５が噛合するよう構成される。また、収容体５２の左側に位置する揺動部材６１の第１アーム部６３には、対応する左側の開閉扉５４が固定されると共に、収容体５２の右側に位置する揺動部材６１の第１アーム部６３には、対応する右側の開閉扉５４が固定されている。すなわち、一方の揺動部材６１を揺動することでギア部６５が噛合する他方の揺動部材６１が一体的に揺動し、この一対の揺動部材６１,６１の揺動に伴って前記一対の開閉扉５４,５４が相互に近接および離間するよう弧状に揺動する。また、一方の揺動部材６１(図１０または図１２において右側に位置する揺動部材６１)には、前記作動手段５６に連繋接続する作動軸６６が下方へ延在するよう形成されている。
【００３１】
実施例に係る作動手段５６は、永久磁石を備えた自己保持型ソレノイド５６が採用され、プランジャ５７が前後方向に移動するよう前記収容体５２の裏側に配設されている。なお、自己保持型ソレノイド５６は、通電により移動したプランジャ５７を永久磁石の磁気吸着力により保持することで、通電停止した状態(無通電)の状態でもプランジャ５７の位置をそのまま維持し得るソレノイドであって、キープソレノイドやラッチソレノイド等と称されることもある。実施例の自己保持型ソレノイド５６では、バネ５８の付勢力により常にはプランジャ５７が後方に突出すると共に、通電によりプランジャ５７が前方移動(吸引)され、プランジャ５７が前方移動した状態では永久磁石の磁気吸着力により通電停止した状態(無通電)の状態でもプランジャ５７が前方移動した位置で保持されるようになっている。また、吸引と逆パルス信号をソレノイドに対して印可することにより、前記プランジャ５７が後方移動(復帰)するよう構成されている。なお、プランジャ５７を後方移動する復帰コイルを設けて、該復帰コイルへのパルス信号によりプランジャ５７が復帰するよう構成された自己保持型ソレノイド５６であってもよい。
【００３２】
また、図１０または図１２に示すように、前記プランジャ５７の前端部には、上方に開口すると共に左右方向に延在するカム孔５９ａを形成した作動部材５９が取り付けられており、該カム孔５９ａに前記揺動部材６１に形成された作動軸６６が挿通されている。すなわち、前記自己保持型ソレノイド５６の作動により前記作動部材５９が前後移動するのに伴って前記作動軸６６が揺動し、この作動軸６６の移動に伴って前記開閉扉５４,５４が前記遮蔽位置および開放位置の間で移動する。ここで、前記作動軸６６は前記カム孔５９ａに対して遊嵌されて、該カム孔５９ａの内部輪郭と作動軸６６との間に隙間が画成されている。すなわち、前記作動手段５６の作動により遮蔽位置と開放位置との間で揺動される前記一対の開閉扉５４,５４は、該開放位置を超えて遮蔽位置から離間する緩衝位置(図１３(b)に一点鎖線で示す)まで揺動し得るようになっている。
【００３３】
(発光手段について)
前記発光手段４６,４７,４８は、図３または図６に示すように、前記装飾部材３０における設置部４０の前端部に設けられた第１ＬＥＤ４６と、前記枠状部材３２またはベース部３６に設けられた第２ＬＥＤ４７と、前記可動体ユニット５０に設けられた第３ＬＥＤ４８とから構成される。ここで、前記第１ＬＥＤ４６は、前記設置部４０の周方向に離間する８箇所に設けられて、前記中心表示体２０から放射方向に位置する前記第１表示体列２４および第２表示体列２６の延在方向に対応するようになっている。また、前記第２ＬＥＤ４７は、前記第１表示体列２４および第２表示体列２６の延長線上に位置するよう夫々配設されると共に、前記第３ＬＥＤ４８は、前記各可動体ユニット５０の収容体５２における周辺表示体２２ａ,２２ｂの間に位置するよう配設される。そして、前記複数の図柄表示体２０,２１ａ,２１ｂ,２２ａ,２２ｂで変動する図柄を順次停止した際に、リーチが成立した図柄ラインに対応する第１ＬＥＤ４６および第２ＬＥＤ４７を点灯するよう前記演出制御装置１７が制御している。ここで、リーチが成立した図柄ラインとは、中心表示体２０で図柄が変動する状態で、周辺表示体２１ａ,２１ｂ,２２ａ,２２ｂに同一図柄が２つ停止表示された図柄ラインをいう。また、前記リーチが成立した図柄ラインが、前記第２表示体列２６に対応する場合(収容体５２の周辺表示体２２ａ,２２ｂに同一図柄が停止した場合)には、前記第１ＬＥＤ４６および第２ＬＥＤ４７に加えて、第３ＬＥＤ４８も点灯するよう演出制御装置１７が制御する。
【００３４】
〔実施例の作用〕
次に、実施例のパチンコ機の作用につき説明する。
【００３５】
前記遊技盤１０の遊技領域１０ｂに打ち出されたパチンコ球が前記始動入賞装置１１に入賞し、該始動入賞装置１１の入賞検知スイッチ１１ａが入賞検知した入賞検知信号が主制御装置１５に入力されると、該主制御装置１５が設定の制御条件に基づいて統括制御装置１６に対して制御信号を出力される。そして、前記統括制御装置１６では、入力された制御信号に基づいて設定の制御条件により演出制御装置１７、ランプ制御装置１８等に対して同期的に制御信号が出力され、図柄表示体２０,２１ａ,２１ｂ,２２ａ,２２ｂによる演出、開閉扉５４,５４による動作演出、照明装置１３による発光演出等を密接に関連付けた演出が行なわれる。
【００３６】
ここで、前記装飾部材３０に配設された複数の図柄表示体２０,２１ａ,２１ｂ,２２ａ,２２ｂは、該装飾部材３０のベース部３６に配設された４つの周辺表示体２１ｂが最も奥側に位置し、該ベース部３６の周辺表示体２１ｂより前側に、前記可動体ユニット５０の収容体５２に配設された８つの周辺表示体２２ａ,２２ｂが位置している。更に、この収容体５２に配設された周辺表示体２２ａ,２２ｂより前側に、前記台座部材３９の保持枠４１に配設された４つの周辺表示体２１ａが位置し、この保持枠４１の周辺表示体２１ａより前側に、該台座部材３９の設置部４０に配設された中心表示体２０が位置している。すなわち、装飾部材３０の略中央に位置する中心表示体２０が最も手前に位置するよう複数の図柄表示体２０,２１ａ,２１ｂ,２２ａ,２２ｂを配設すると共に、複数の周辺表示体２１ａ,２１ｂ,２２ａ,２２ｂを前後方向に離間するよう段違いに配置したことで、全体として中心表示体２０に向けて突出した奥行き感のある立体感が生ずる。このため、前記中心表示体２０および周辺表示体２１ａ,２１ｂ,２２ａ,２２ｂにより立体的な図柄の変動演出が可能となり、演出のインパクトが増大して、遊技の興趣の向上が図られる。また、前記中心表示体２０および周辺表示体２１ａ,２１ｂ,２２ａ,２２ｂを物理的に立体配置したことで、液晶表示等により図柄を擬似的に立体表示する場合に較べて、各表示体２０,２１ａ,２１ｂ,２２ａ,２２ｂの存在感が増大し、迫力ある演出が可能となる。
【００３７】
また、中心表示体２０を中心として周辺表示体２１ａ,２１ｂ,２２ａ,２２ｂを放射状に配列すると共に、中心に位置する中心表示体２０が最も前方に位置することで、遊技者の注意が中心表示体２０に惹き付けられる。そして、遊技者の注意が惹き付けられる中心表示体２０の図柄を最後に停止するよう前記演出制御装置１７が制御することで、図柄の変動・停止による演出に対してインパクトを与えることが可能となる。また、第１表示体列２４を構成する周辺表示体２１ａ,２１ｂの前後方向の配置位置と、第２表示体列２６を構成する周辺表示体２２ａ,２２ｂの前後方向の配置位置とを異ならせると共に、前記中心表示体２０を中心として交互に第１表示体列２４と第２表示体列２６とを配置するよう構成してあるから、装飾部材３０の意匠に対して全体的な統一感が生じ、遊技者の興趣を強く惹き付ける効果を期待し得る。
【００３８】
また、前述した特許文献１のように、同一平面状における同心円の円周上に表示体を放射状に配置する構成では、半径の小さな円周上に配置される表示体が相互に干渉しないよう設置数が限定される。例えば、図１４に示すように、２つの同心円の円周上に表示体１００を設置する場合には、外側に位置する半径の大きな円周上に７つ表示体１００を設置し得るものの、内側に位置する半径の小さな円周上には、表示体同士の干渉を避けるため４つの表示体１００しか配置できない。従って、図１４に示すように、中心点を通る縦横方向のライン上では５つの表示体１００により図柄ラインを形成できる一方で、斜め方向に延在するライン上には３つの表示体１００により図柄ラインが形成されるため、縦横方向のラインに較べて斜め方向の図柄ラインが限定されてしまい、遊技演出の多様性が損なわれてしまう。なお、同一平面状における同心円の円周上に表示体を放射状に配置する構成であっても、表示体自体を小さくすれば、同一円周上に多くの表示体を設置し得るようになるものの、表示体に表示される図柄自体が小さくなって判別し難くなることから遊技性が損なわれてしまう。また、表示体を小さくすることで表示体同士の間隔が広くなり、表示体同士のバランスが損なわれる欠点もある。更に、表示体を配置する同心円の半径を大きくしても、同一円周上により多くの表示体を配置できるものの、図柄表示装置自体の大型化を招来し、遊技盤１０に設置し得なくなる欠点がある。また、表示体を配置する同心円の半径を大きくした場合であっても、表示体同士の相対的な位置関係は変化しないため、表示体同士のバランスが損なわれる問題を内在している。
【００３９】
これに対して、実施例の装飾部材３０では、前記第１表示体列２４において中心表示体２０に隣接する周辺表示体２１ａ(すなわち保持枠４１に配設された周辺表示体２１ａ)を、前記第２表示体列２６において中心表示体２０に隣接する周辺表示体２２ａより前方に位置するよう互違いに配置してあるから、平面的に表示体を配置する場合のように表示体を小さくすることなく、同一領域により多くの表示体を配設できる。すなわち、実施例のように、前記第１表示体列２４における中心表示体２０に隣接する周辺表示体２１ａと、前記第２表示体列２６における中心表示体２０に隣接する周辺表示体２２ａとを、前後に離間するよう互違いに配置することで、より多くの図柄ラインにより図柄変動を行なうことができ、遊技演出を多様化でき、遊技の興趣を増大し得る。
【００４０】
ここで、図柄ラインが多くなると、装飾部材３０に配設された図柄表示体２０,２１ａ,２１ｂ,２２ａ,２２ｂの広範囲に遊技者の注意が払われることになる。このため、何れかの図柄ラインで遊技者に有利なリーチ等が成立した場合に、遊技者の注意が他の部位に払われていると演出効果の低減に繋がり得る。そこで、実施例では、前記台座部材３９に第１ＬＥＤ４６を設けると共に、装飾部材３０の枠状部材３２またはベース部３６に第２ＬＥＤ４７を設けて、該第１ＬＥＤ４６および第２ＬＥＤ４７を各図柄ラインに対応するよう構成したから、リーチが成立した図柄ラインに対応する第１ＬＥＤ４６および第２ＬＥＤ４７を発光させれば、注目すべき図柄ラインを遊技者に対して容易かつ明確に認識させることができる。すなわち、実施例のように複数の図柄表示体２０,２１ａ,２１ｂ,２２ａ,２２ｂにより多数の図柄ラインを形成するよう構成した場合であっても、前記第１および第２ＬＥＤ４６,４７の発光により注目すべき図柄ラインを報知できる。このため、注目すべき図柄ラインを遊技者が容易に認識できるから、遊技の興趣を損なうことはない。また、可動体ユニット５０の収容体５２に第３ＬＥＤ４８を配設して、該収容体５２に配設した周辺表示体２２ａ,２２ｂに停止表示された図柄でリーチが成立した場合(すなわち第２表示体列２６でリーチが成立した場合)には、対応する第１ＬＥＤ４６および第２ＬＥＤ４７に加えて、該第３ＬＥＤ４８も発光させるようにしたから、第１表示体列２４と第２表示体列２６とで異なった印象を付与でき、遊技の興趣の増大に寄与し得る。
【００４１】
また、実施例では、形成された回転体４２を前記ベース部３６に対して回転可能な回転体４２に前記台座部材３９を設けてある。すなわち、前記台座部材３９(回転体４２)の回転により、前記中心表示体２０と、前記第１表示体列２４を構成して中心表示体２０に隣接する周辺表示体２１ａとが回転するから、遊技者に与えるインパクトが高く、遊技の興趣の向上を図り得る。更に、前記台座部材３９に配設された中心表示体２０と周辺表示体２１ａのみが回転し、ベース部３６に配設された周辺表示体２１ｂや、可動体ユニット５０に配設された周辺表示体２２ａ,２２ｂは回転しないよう構成してある(図６参照)。このため、前記ベース部３６に固定的に配設した図柄表示体２１ｂ,２２ａ,２２ｂと、前記台座部材３９と一体的に回転する図柄表示体２０,２１ａとにより、印象の異なる演出を一度に行なうことができるから、遊技演出の多様化を図り得る。
【００４２】
ここで、前記中心表示体２０および周辺表示体２１ａを配設した回転体４２(台座部材３９)は、通電状態で相対的に回転可能な第１接触部７１および第２接触部７２からなる回転コネクタ７０を介して前記演出制御装置１７に接続するよう構成されている。このため、回転体４２(台座部材３９)を回転した場合であっても、台座部材３９に配設された各表示体２０,２１ａと演出制御装置１７とを繋ぐ配線が捻れることはなく、該回転体４２(中心表示体２０および周辺表示体２１ａ)を一定方向に連続して回転することができる。また、捻れ防止を目的として配線を必要以上に長くする必要がないから、配線接続や配線取り回しの作業性向上が図られる。
【００４３】
また、前記回転体４２の軸線上に中心表示体２０を配置し、該中心表示体２０の周囲に設けた保持枠４１に周辺表示体２１ａを配置するよう構成してあるから、該回転体４２(台座部材３９)の回転時には、中心表示体２０に較べて周辺表示体２１ａの回転速度の方が高速になる。このように、１つの台座部材３９の回転により、中心に位置する表示体２０と、周辺に位置する表示体２１ａとで異なった印象を遊技者に与えることができ、遊技の興趣の向上に寄与し得る。また、中心表示体２０の回転速度を比較的に緩やかにし得るから、該中心表示体２０に表示される図柄を遊技者が認識でき、中心表示体での図柄の変動・停止に対する遊技者の注意を惹き付けることができる。
【００４４】
また、前記装飾部材３０に配設した可動体ユニット５０の一対の開閉扉５４,５４を、遮蔽位置と解放位置との間で変位することで、前記第２表示体列２６を構成する周辺表示体２２ａ,２２ｂを遮蔽したり、露出することができる。すなわち、前記一対の開閉扉５４,５４を遮蔽位置に変位させた状態では、前記第２表示体列２６を構成する周辺表示体２２ａ,２２ｂが遮蔽されて、中心表示体２０および第１表示体列２４を構成する周辺表示体２１ａ,２１ｂから形成された４つの図柄ラインにより遊技演出を行ない得ると共に、該開閉扉５４,５４を開放位置に変位させた状態では、中心表示体２０および第１表示体列２４を構成する周辺表示体２１ａ,２１ｂから形成される図柄ラインと、中心表示体２０および第２表示体列２６を構成する周辺表示体２２ａ,２２ｂから形成される図柄ラインとの、８つの図柄ラインにより遊技演出を行ない得る。このように、前記一対の開閉扉５４,５４を遮蔽位置と開閉位置との間で変位することで図柄ラインを増減でき、この図柄ラインの増減によりリーチが成立するライン数を変化し得るから、遊技演出の多様化が図られる。更に、開放位置に開閉扉５４,５４を変位した際には、前方に配置された周辺表示体２１ａの後側でかつ隣り合う表示体列２４,２６の間に開閉扉５４,５４が退避するから、遮蔽位置に退避した開閉扉５４,５４により図柄表示体２０,２１ａ,２１ｂ,２２ａ,２２ｂが遮蔽されることはなく、全体を視認することが可能となる。更に、一対の開閉扉５４,５４が弧を描くよう揺動することで、該開閉扉５４,５４の動きに立体感を出すことができ、よりインパクトのある立体的な演出が可能となる。
【００４５】
更に、実施例では、前記一対の開閉扉５４,５４を自己保持型ソレノイド５６により作動するよう構成してある。ここで、自己保持型ソレノイド５６は、前述のように、バネ５８の付勢力により常にはプランジャ５７が後方に突出する(一対の開閉扉５４,５４が遮蔽位置に位置する)と共に、通電によりプランジャ５７が前方移動(吸引)した状態(一対の開閉扉５４,５４が開放位置に位置する状態)では、永久磁石の磁気吸着力により通電停止した状態(無通電状態)でもプランジャ５７をそのまま保持し得るものである。すなわち、前記自己保持型ソレノイド５６に通電することなく開閉扉５４,５４を遮蔽位置および開放位置で停止させることができるから、長時間に亘って開閉扉５４,５４を遮蔽位置および開放位置に保持したとしても、ソレノイドの過熱等の不具合が生ずることはない。このため、前記開閉扉５４,５４を利用した演出形態に拡がりを持たせることができ、遊技の多様化をより一層図り得る。
【００４６】
前記自己保持型ソレノイド５６では、前述のように前記一対の開閉扉５４,５４を開放位置に変位した後は、永久磁石の磁気吸着力により開閉扉５４,５４を保持する。このため、遮蔽位置から開放位置に変位した開閉扉５４,５４を停止させた場合には、開閉扉５４,５４に作用する反発力が永久磁石の磁気吸着力に勝ることで、開閉扉５４,５４が演出意図に反して遮蔽位置に復帰する虞がある。そこで実施例では、前記自己保持型ソレノイド５６におけるプランジャ５７の前端部に配設した作動部材５９のカム孔５９ａに対して、揺動部材６１,６１に形成した作動軸６６を遊嵌し、自己保持型ソレノイド５６の作動により遮蔽位置と開放位置との間で揺動する一対の開閉扉５４,５４を、開放位置を超えて遮蔽位置から離間する緩衝位置まで移動し得るよう構成してある。すなわち、自己保持型ソレノイド５６の作動により開閉扉５４,５４が遮蔽位置から開放位置へ変位された際には、該開閉扉５４,５４は慣性力により緩衝位置まで変位して減勢されるから、永久磁石の磁気吸着力よる開閉扉５４,５４の保持が解除されることなく開放位置で確実に保持できる。このように、開放位置を超えて遮蔽位置から離間する緩衝位置まで前記一対の開閉扉５４,５４が移動し得るよう構成したことにより、開放位置に変位した開閉扉５４,５４が予定外に遮蔽位置に復帰するのは防止され、意図した演出を確実に行なうことが可能となる。
【００４７】
また、前記作動部材５９のカム孔５９ａに作動軸６６を遊嵌したことで、前記開閉扉５４,５４が遮蔽位置にある状態においては、開閉扉５４,５４が開放位置方向へ僅かに移動可能となるから、開閉扉５４,５４の間に隙間が生ずることも考えられる。ここで、実施例では、一方の開閉扉５４,５４に他方の開閉扉５４,５４側へ突出する突出片５５を形成してあるから、遮蔽位置おいて開閉扉５４,５４が離間する方向に移動したとしても、量開閉扉５４,５４の間の隙間を突出片５５で塞ぐことができる。従って、遮蔽位置にある前記一対の開閉扉５４,５４の間から第２表示体列２６の周辺表示体２２ａ,２２ｂが遊技者側から見えることによる遊技の興趣の低下を確実に防止し得る。
【００４８】
〔変更例〕
なお、本発明に係る遊技機としては、実施例のものに限られるものではなく、種々の変更が可能である。
例えば、実施例では、台座部材に中心表示体と４つの周辺表示体を配設するよう構成したが、これに限られるものではなく、台座部材に中心表示体のみを配設するよう構成してもよい。また、台座部材に中心表示体と周辺表示体を配設する場合であっても、周辺表示体の数が４つに限られるものではなく、任意の数の周辺表示体を配設することが可能である。
【００４９】
実施例では、台座部材(回転体)の図柄表示体と演出制御装置とを、スリップリング形式の回転コネクタにより電気的に接続するよう構成したが、これに限られるものではなく、実施例のものに限られるものではなく、演出制御装置を接続する固定側部材と、図柄表示体を接続する回転側部材とを相対的に回転した際に、固定側部材および回転側部材の間の接点を維持し得るものであれば、例えば充填した水銀により接点を維持する形式の回転コネクタ等、従来公知のものを採用可能である。また、台座部材の回転構造に関しても、実施例のものに限られず、モータ等の駆動手段の駆動により台座部材が回転可能な構造であれば、任意に変更可能である。
【００５０】
実施例では、装飾部材に配設される複数の図柄表示体の内で中心表示体を最も前方に配置するよう構成したが、これに限られるものではなく、該中心表示体が最も奥側に位置するよう配置してもよい。
【００５１】
また、複数の図柄表示体の配置は、実施例のものに限られるものではなく、表示体列における前記中心表示体に隣接する表示体は、隣り合う表示体列における中心表示体に隣接する表示体との関係において前方と後方とに離間するよう段違いに配置すれば、その他の表示体の位置関係は任意に決定できる。また、装飾部材に配設される図柄表示体の数や、周辺表示体により構成される表示体列の数は、実施例のものに限らず、任意に変更し得る。
【００５２】
実施例では、中心表示体および第１表示体列を構成する周辺表示体により構成される４つの図柄ラインと、中心表示体および第２表示体列を構成する周辺表示体により構成される４つの図柄ラインとを設けた場合につき説明したが、これに限られるものではなく、
中心表示体および中心表示体を挟んで対向する第１表示体列の周辺表示体により構成される２つの図柄ラインと、中心表示体および中心表示体を挟んで対向する第２表示体列の周辺表示体により構成される２つの図柄ラインとを更に設定することも可能である。すなわち、中心表示体と表示体列を構成する周辺表示体とにより２つ以上の図柄ラインを構成すれば、任意数の図柄ラインを設けることが可能である。
【００５３】
実施例では、遮蔽部材としての一対の開閉扉を、弧を描くよう相互に近接および離間移動するよう構成したが、これに限れるものではなく、後方に配置された周辺表示体を含む表示体列を遮蔽する遮蔽位置と、該遮蔽した表示体列を露出する開放位置との間を変位し得るよう構成すればよい。例えば、前記遮蔽部材として、板状部材が遮蔽位置および開放位置の間をスライド移動する引き戸タイプのものや、複数連結した短冊状部材を巻取ったり引き出したりすることで遮蔽位置および開放位置の間を変位するシャッタータイプのもの等を採用可能である。
【００５４】
また、実施例では、遮蔽部材を作動する作動手段として自己保持型ソレノイドを採用したが、これに限られるものではなく、一般的なソレノイドやモータ等を採用することも可能である。
【図面の簡単な説明】
【００５５】
【図１】本発明の実施例に係る遊技盤を、可動体ユニットの開閉扉を開放位置に変位した状態で示す正面図である。
【図２】実施例に係る装飾部材を示す斜視図である。
【図３】実施例に係る装飾部材を、台座部材を初期位置に停止すると共に可動体ユニットの開閉扉を遮蔽位置に変位した状態で示す正面図である。
【図４】実施例に係る図柄表示体の配列を示す説明図である。
【図５】実施例に係る装飾部材を示す縦断面図である。
【図６】実施例に係る装飾部材を、台座部材を初期位置から所要角度回転すると共に可動体ユニットの開閉扉を開放位置に変位した状態で示す正面図である。
【図７】実施例に係る各制御装置の関係を示すブロック図である。
【図８】実施例に係る回転コネクタを示す要部断面図である。
【図９】実施例に係る可動体ユニットの設置状態を示す説明図であって、開閉扉を遮蔽位置に変位した状態を示す。
【図１０】実施例に係る可動体ユニットを背面側から視た状態で示す斜視図であって、開閉扉を遮蔽位置に変位した状態で示す
【図１１】実施例に係る可動体ユニットの設置状態を示す説明図であって、開閉扉を開放位置に変位した状態を示す。
【図１２】実施例に係る可動体ユニットを背面側から視た状態で示す斜視図であって、開閉扉を開放位置に変位した状態で示す
【図１３】実施例に係る可動体ユニットの動作を示す概略説明図であって、(a)は開閉扉が遮蔽位置ある状態を示し、(b)は開閉扉が開放位置にある状態を示す。
【図１４】従来技術に係る図柄表示体の配列を示す説明図である。
【符号の説明】
【００５６】
１０  遊技盤
１０ｂ  遊技領域
１１  始動入賞装置
１２  特別入賞装置
１７  演出制御装置(電気部品)
２０  中心表示体(図柄表示体)
２１ａ  周辺表示体(図柄表示体)
２１ｂ  周辺表示体(図柄表示体)
２２ａ  周辺表示体(図柄表示体)
２２ｂ  周辺表示体(図柄表示体)
３０  装飾部材
３４  本体部材
３９  台座部材
７０  回転コネクタ
７１  第１接触部
７２  第２接触部
５４  開閉扉(遮蔽部材)
【図１】
2008246128.tif 000003
【図２】
2008246128.tif 000004
【図３】
2008246128.tif 000005
【図４】
2008246128.tif 000006
【図５】
2008246128.tif 000007
【図６】
2008246128.tif 000008
【図７】
2008246128.tif 000009
【図８】
2008246128.tif 000010
【図９】
2008246128.tif 000011
【図１０】
2008246128.tif 000012
【図１１】
2008246128.tif 000013
【図１２】
2008246128.tif 000014
【図１３】
2008246128.tif 000015
【図１４】
2008246128.tif 000016